(57)【要約】【課題】丸形蛍光管用の照明器具の給電ソケットと口金部とがずれた状態での給電ソケットと口金部との誤嵌合を防止することによって、丸形ＬＥＤランプ交換時の感電防止を図ることができる丸形ＬＥＤランプの提供。【解決手段】丸形蛍光管用の照明器具に取り付け可能な円環形状を有し、照明器具の給電ソケットと嵌合可能な口金部２を備えた丸形ＬＥＤランプ１であって、口金部２の周囲に、口金部２を構成するピン２１の長さ方向に高くなった突起部３〜６を設けている。【選択図】図２
2019021411.tif 000002
【特許請求の範囲】
【請求項１】
丸形蛍光管用の照明器具に取り付け可能な環形状又は湾曲形状を有し、前記照明器具の給電ソケットと嵌合可能な口金部を備えた丸形ＬＥＤランプであって、
前記口金部の周囲の少なくとも一部分に、前記口金部を構成するピンの長さ方向に高くなった突起部を設けた
ことを特徴とする、丸形ＬＥＤランプ。
【請求項２】
前記突起部は、前記口金部の、前記環形状又は湾曲形状の周方向の両側に配置されている
ことを特徴とする、請求項１記載の丸形ＬＥＤランプ。
【請求項３】
前記口金部は、前記環形状又は湾曲形状の周方向に直交する面内において所定角度内で回動可能であり、
前記突起部は、前記口金部の回動範囲に沿って壁状に延在している
ことを特徴とする、請求項２記載の丸形ＬＥＤランプ。
【請求項４】
前記突起部は、前記口金部の、前記周方向に直交する方向の両側に更に配置される
ことを特徴とする、請求項２又は３記載の丸形ＬＥＤランプ。
【請求項５】
前記周方向に直交する方向の両側に配置された前記突起部は、折り取り可能に形成されている
ことを特徴とする、請求項４記載の丸形ＬＥＤランプ。
【発明の詳細な説明】
【技術分野】
【０００１】
本発明は、丸形ＬＥＤランプに係り、より詳細には、丸形蛍光管用の照明器具に取り付け可能な丸形ＬＥＤランプに関する。
【背景技術】
【０００２】
近年、蛍光管よりも消費電力が小さく、寿命が長いＬＥＤ（Light Emitting Diode）を使用した照明装置が普及してきている。さらに、蛍光管の口金部と同規格の口金部を設け、蛍光管用の照明器具に取り付け可能な形状を有する種々のＬＥＤランプが市販されている。例えば、特許文献１には、直管形蛍光管と互換可能な直管形ＬＥＤランプ（特許文献１の図１参照）と、丸形蛍光管と互換可能な丸形ＬＥＤランプ（特許文献１の図１１参照）が記載されている。
【０００３】
丸形蛍光管には、通常、４本のピンを突設したＧ１０ｑ規格の口金部が設けられ、一方、丸形蛍光管用の照明器具には、４つの挿入孔を有するＧ１０ｑ規格の給電ソケットが設けられている。そして、丸形蛍光管の口金部に給電ソケットを嵌合することによって、照明器具から丸形蛍光管へ給電される。
【０００４】
また、図１２（ａ）に示すように、丸形ＬＥＤランプ１０においても、Ｇ１０ｑ規格の口金部２の４本のピンを給電ソケットＳの４つの挿入孔にそれぞれ挿入するように、給電ソケットＳを口金部２に嵌合させることによって、照明器具から給電される。これにより、従来の丸形蛍光管に代えて、丸形ＬＥＤランプ１０を丸形蛍光管用の照明器具に取り付けることができる。
【先行技術文献】
【特許文献】
【０００５】
【特許文献１】国際公開第２０１１／０２１７１９号
【発明の概要】
【発明が解決しようとする課題】
【０００６】
ところで、丸形蛍光管を交換する際に、給電ソケットが口金部からずれた状態で口金部に誤嵌合されてしまうことがあった。具体的には、丸形蛍光管の口金部の４本のピンのうち２本のピンだけが給電ソケットの挿入孔に挿入され、残りの２本のピンが露出した状態となることがあった。しかし、かかる誤嵌合状態で照明器具の電源スイッチがＯＮ状態であっても、丸形蛍光管の口金部の露出した２本ピンには通電されないため、露出した２本のピンに手指で触れても感電するおそれはなかった。
【０００７】
なお、丸形蛍光管の口金部の１本のピンだけが給電ソケットの挿入孔に挿入された場合には感電のおそれがあるが、そのような誤挿入は稀であると考えられていた。このため、丸形蛍光管においては、給電ソケットと口金部とを誤嵌合したときの露出ピンによる感電を防止する必要性は低かった。
【０００８】
これに対し、従来の丸形ＬＥＤランプ１０では、図１２（ｂ）に示すように、口金部２の１本のピン２１だけが給電ソケットＳに挿入された誤嵌合状態の場合だけでなく、図１２（ｃ）及び図１２（ｄ）に示すように、口金部２の２本のピンが給電ソケットＳに挿入されて残り２本のピン２１が露出した誤嵌合状態の場合にも、照明器具の電源スイッチがＯＮ状態であると、丸形ＬＥＤランプ１０の露出したピン２１に通電されてしまうことがある。このため、従来の丸形ＬＥＤランプ１０を交換する際には、丸形蛍光管よりも感電する可能性が高くなる。
【０００９】
本発明は、上記の事情に鑑みてなされたものであり、丸形蛍光管用の照明器具の給電ソケットと口金部とがずれた状態での給電ソケットと口金部との誤嵌合を防止することによって、丸形ＬＥＤランプ交換時の感電防止を図ることができる丸形ＬＥＤランプを提供することを目的としている。
【課題を解決するための手段】
【００１０】
本発明の丸形ＬＥＤランプは、丸形蛍光管用の照明器具に取り付け可能な環形状又は湾曲形状を有し、前記照明器具の給電ソケットと嵌合可能な口金部を備えた丸形ＬＥＤランプであって、前記口金部の周囲の少なくとも一部分に、前記口金部を構成するピンの長さ方向に高くなった突起部を設けたことを特徴としている。
【００１１】
このように、本発明の丸形ＬＥＤランプによれば、口金部の周囲の少なくとも一部分に突起部を設けたため、口金部に対して給電ソケットがずれた状態で給電ソケットを口金部と嵌合させようとすると、給電ソケットが突起部に当接する。このため、突起部が障害物となって、突起部によって給電ソケットと口金部との誤嵌合が阻止される。例えば、口金部を構成する４本のピンのうちの１本又は２本のピンだけが給電ソケットの挿入孔に挿入され、残りのピンが露出した状態で、給電ソケットを口金部と誤嵌合しようとしても、給電ソケットが突起部に当接し、誤嵌合が阻止される。これにより、丸形ＬＥＤランプの交換時に、口金部の一部のピンが露出した状態で誤嵌合することが防止されるため、露出したピンによる感電の防止が図られる。
【発明の効果】
【００１２】
本発明の丸形ＬＥＤランプによれば、丸形蛍光管用の照明器具の給電ソケットと口金部とがずれた状態での給電ソケットと口金部との誤嵌合を防止することによって、丸形ＬＥＤランプ交換時の感電防止を図ることができる。
【図面の簡単な説明】
【００１３】
【図１（ａ）】本発明の第１実施形態に係る丸形ＬＥＤランプの斜視図である。
【図１（ｂ）】本発明の第１実施形態の変形例の丸形ＬＥＤランプの斜視図である。
【図２】図１に示した丸形ＬＥＤランプの要部斜視図である。
【図３（ａ）】第１実施形態に係る丸形ＬＥＤランプの口金部とコネクタータイプの給電ソケットとが正常に嵌合した様子を示す斜視図である。
【図３（ｂ）】第１実施形態に係る丸形ＬＥＤランプの口金部に対して給電ソケットが環形状の周方向にずれた誤嵌合が阻止された様子を示す斜視図である。
【図４（ａ）】第１実施形態に係る丸形ＬＥＤランプの口金部に対してコネクタータイプの給電ソケットが環形状の周方向に直交する方向にずれた誤嵌合が阻止された様子を示す斜視図である。
【図４（ｂ）】第１実施形態に係る丸形ＬＥＤランプの口金部に対して給電ソケットが斜め方向にずれた誤嵌合が阻止された様子を示す斜視図である。
【図５】ホルダータイプの給電ソケットと、本発明の第２実施形態に係る丸形ＬＥＤランプの要部斜視図である。
【図６（ａ）】第２実施形態に係る丸形ＬＥＤランプの口金部とホルダータイプの給電ソケットとが正常に嵌合した様子を示す斜視図である。
【図６（ｂ）】第２実施形態に係る丸形ＬＥＤランプの口金部に対して給電ソケットが環形状の周方向に直交する方向にずれた誤嵌合が阻止された様子を示す斜視図である。
【図７】本発明の第３実施形態に係る丸形ＬＥＤランプの要部拡大図である。
【図８】突起部の折り取りを説明する要部斜視図である。
【図９（ａ）】第３実施形態に係る丸形ＬＥＤランプの口金部とコネクタータイプの給電ソケットとが正常に嵌合した様子を示す斜視図である。
【図９（ｂ）】第３実施形態に係る丸形ＬＥＤランプの口金部に対して給電ソケットが環形状の周方向にずれた誤嵌合が阻止された様子を示す斜視図である。
【図１０（ａ）】第３実施形態に係る丸形ＬＥＤランプの口金部に対してコネクタータイプの給電ソケットが環形状の周方向に直交する方向にずれた誤嵌合が阻止された様子を示す斜視図である。
【図１０（ｂ）】第３実施形態に係る丸形ＬＥＤランプの口金部に対して給電ソケットが斜め方向にずれた誤嵌合が阻止された様子を示す斜視図である。
【図１１（ａ）】第３実施形態に係る丸形ＬＥＤランプにおいて、突起部が折り取られた口金部とホルダータイプの給電ソケットとが正常に嵌合した様子を示す斜視図である。
【図１１（ｂ）】第３実施形態に係る丸形ＬＥＤランプにおいて、突起部が折り取られた口金部に対して給電ソケットが環形状の周方向に直交する方向にずれた誤嵌合が阻止された様子を示す斜視図である。
【図１２】丸形蛍光管用の照明器具の給電ソケットと、従来の丸形ＬＥＤランプの口金部との嵌合状態を示す斜視図であり、（ａ）は、正常な嵌合状態を示し、（ｂ）〜（ｄ）は誤嵌合状態を示す。
【発明を実施するための形態】
【００１４】
以下、図面を参照して本発明の丸形ＬＥＤランプの実施形態を説明する。
【００１５】
（第１実施形態）
図１及び図２を参照して、本発明の第１実施形態に係る丸形ＬＥＤランプを説明する。
図１（ａ）に示すように、本実施形態の丸形ＬＥＤランプ１は、丸形蛍光管用のペンダントライトやシーリングライトのような照明器具に取り付け可能な円環形状を有している。
なお、丸形ＬＥＤランプは、環形状の一部分が途切れた湾曲形状であってもよい。例えば、図1（ｂ）に示す変形例のように、Ｃ字形のように円環の一部が途切れた円弧曲形状を有する丸形ＬＥＤランプ１’であってもよい。
【００１６】
図２に拡大して示すように、照明器具の給電ソケットと嵌合可能なＧ１０ｑ規格の口金部２を備えている。Ｇ１０ｑ規格の口金部２は、４本のピン２１から構成されている。４本のピンは、一辺１０ｍｍの正方形の各頂部にそれぞれ位置するように配置されている。
【００１７】
口金部２の周囲には、口金部２を囲むように、４つの突起部３〜６が口金部２の四方に配置されている。各突起部３〜６は、口金部２を構成するピン２１の長さ方向に高くなっている。各突起部３〜６は、誤嵌合を阻止するため、口金部２に給電ソケットを誤嵌合しようとしたときに、給電ソケットが当接し、誤嵌合の障害となる位置に配置されている。一方、給電ソケットが口金部２と嵌合したときには、各突起部３〜６は給電ソケットに当接せず、嵌合の障害とならない。
【００１８】
各突起部３〜６の頂部の高さは、誤嵌合による給電部２のピン２１と給電ソケットとの導通を阻止するため、口金部２のピン２１の長さの例えば、１／２以上の高さ、より好ましくは、ピン２１の先端と実質的に同じ高さ又はそれ以上の高さを有するとよい（他の実施形態においても同じ）。これにより、口金部２の一部のピン２１だけが給電ソケットの挿入孔に挿入されて挿入孔内の電極と導通する前段階で誤嵌合を阻止することができ、露出した口金ピン２１による感電のより確実な防止を図ることができる。
【００１９】
また、突起部３〜６が給電ソケットを正しい嵌合位置へ案内するガイド部材としても機能するように、突起部３〜６の頂部の高さを、口金部２のピン２１の先端よりも高くしてもよいし、対向する突起部の一方の高さを他方よりも高くしてもよい（他の実施形態においても同じ）。
【００２０】
突起部３及び４は、口金部２の、円環形状の周方向Ａの両側に、互いに対を成して配置されている。突起部３及び４を設けたことによって、給電ソケットが口金部２に対して周方向Ａにずれた状態で、給電ソケットを口金部２に嵌合させようとすると、給電ソケットが、突起部３又は４に当接し、周方向Ａにずれた誤嵌合が阻止される。
【００２１】
さらに、口金部２は、円環形状の周方向Ａに直交する面内において所定角度（例えば、９０度）内で回動可能なように構成されている。このため、口金部２の回動範囲をカバーするように、突起部３及び４は、口金部２の回動範囲に沿って壁状に延在している。これにより、口金部２が回動範囲の何処に位置していても、突起部３及び４が口金部２の周方向Ａの両側に位置する。これにより、口金部２の回動位置によらず、周方向Ａにずれた誤嵌合が阻止される。
なお、突起部３及び４は、口金部２側の面は、平坦な壁状に形成されているが、それらの反対側の面は平坦である必要は無く、凹凸を有してもよいし、傾斜面であってもよい。また、突起部３及び４の壁形状の肉厚は限定されない。
【００２２】
また、突起部５及び６は、口金部２の、周方向Ａに直交する方向の両側に、互いに対を成して配置されている。突起部５及び６を設けたことによって、コネクタータイプの給電ソケットが口金部２に対して周方向Ａと直交する方向にずれた状態で、給電ソケットを口金部２に嵌合させようとすると、給電ソケットが、突起部５又は６に当接し、周方向Ａと直交する方向にずれた誤嵌合が阻止される。
【００２３】
図３及び図４を参照して、本実施形態の丸形ＬＥＤランプ１の口金部２とコネクタータイプの給電ソケットＳとの嵌合状態を説明する。
まず、図３（ａ）に、給電ソケットＳが口金部２と正常に嵌合した様子を示す。同図に示すように、給電ソケットＳが口金部２と正常に嵌合したときには、各突起部３〜６は給電ソケットに当接せず、嵌合の障害とならない。
【００２４】
次に、図３（ｂ）、図４（ａ）及び図４（ｂ）に、口金部２に対して給電ソケットＳがずれた場合を示す。
図３（ｂ）に示す場合、口金部２に対して給電ソケットＳが周方向Ａにずれ、口金部２の４本のピン２１のうち２本のピン２１が露出した状態で、残りの２本のピンだけが給電ソケットＳの挿入孔に挿入されようとしている。この場合、給電ソケットＳの正面が、突起部３に当接するため、突起部３が障害となって誤嵌合が阻止される。
【００２５】
図４（ａ）に示す場合、口金部２に対して給電ソケットＳが周方向Ａと直交する方向にずれ、口金部２の４本のピン２１のうち２本のピン２１が露出した状態で、残りの２本のピンだけが給電ソケットＳの挿入孔に挿入されようとしている。この場合、給電ソケットＳの正面が、突起部６に当接するため、突起部６が障害となって誤嵌合が阻止される。
【００２６】
図４（ｂ）に示す場合、口金部２に対して給電ソケットＳが周方向Ａと斜め方向にずれ、口金部２の４本のピン２１のうち３本のピン２１が露出した状態で、残りの１本のピンだけが給電ソケットＳの挿入孔に挿入されようとしている。この場合、給電ソケットＳの正面が、２カ所の突起部３及び６に当接するため、突起部３及び６が障害となって誤嵌合が阻止される。
【００２７】
したがって、本実施形態の丸形ＬＥＤランプ１によれば、丸形ＬＥＤランプ１を交換する際に、給電ソケットＳと口金部２とがずれた状態での給電ソケットＳと口金部２との誤嵌合が阻止される。これにより、口金部２の一部のピン２１が露出したまま、残りのピン２１が給電ソケットＳと接続されることが防止され、露出したピン２１に接触することによる感電の防止を図ることができる。
【００２８】
（第２実施形態）
次に、図５及び図６を参照して、本発明の第２実施形態に係る丸形ＬＥＤランプを説明する。本実施形態の丸形ＬＥＤランプ１ａは、図１〜図４に示した突起部３〜６のうち、突起部３及び４だけが設けられて突起部５及び６が設けられていない点を除いて、第１実施形態の丸形ＬＥＤランプ１と同じ構造を有する。
【００２９】
図５中に示したホルダータイプの給電ソケットＳＨは、挿入孔Ｓ１が形成されたコネクター部Ｃが、丸形蛍光管を保持するホルダー部Ｈと一体に形成されている。ホルダー部Ｈは、丸形蛍光管と係合するように円弧状に湾曲している。このため、給電ソケットＳＨが、円周方向Ａと直交する方向にずれて誤嵌合しようとした場合、給電ソケットＳＨのホルダー部Ｈが、口金部２のピン２１と当接する。これにより、突起部５及び６が無くとも、かかる方向にずれた誤嵌合が阻止される。
また、本実施形態においても、口金部２の周方向Ａの両側に配置された突起部３及び４によって、給電ソケットＳＨが周方向Ａにずれた誤嵌合が阻止される。
【００３０】
図６を参照して、本実施形態の丸形ＬＥＤランプ１ａの口金部２とホルダータイプの給電ソケットＳＨとの嵌合状態を説明する。
まず、図６（ａ）に、給電ソケットＳＨが口金部２と正常に嵌合した様子を示す。同図に示すように、給電ソケットＳＨが口金部２と正常に嵌合したときには、各突起部３及び４は給電ソケットに当接せず、嵌合の障害とならない。
【００３１】
次に、図６（ｂ）では、口金部２に対して給電ソケットＳが周方向Ａにずれ、口金部２の４本のピン２１のうち２本のピン２１が露出した状態で、残りの２本のピンだけが給電ソケットＳＨの挿入孔に挿入されようとしている。この場合、給電ソケットＳＨのホルダー部Ｈや正面のコネクター部Ｃが突起部３に当接するため、突起部３が障害となって誤嵌合が阻止される。
【００３２】
したがって、本実施形態の丸形ＬＥＤランプ１ａは、コネクタータイプの給電ソケットＳ（図３参照）を備えた照明装置に取り付けることもできるが、ホルダータイプの給電ソケットＳＨを備えた照明装置に取り付けて好適である。
【００３３】
（第３実施形態）
次に、図７〜図１１を参照して、本発明の第３実施形態に係る丸形ＬＥＤランプを説明する。本実施形態の丸形ＬＥＤランプ１ｂは、第１実施形態における突起部５及び６の代わりに、折り取り可能な突起部５ａ及び６ａを設けた点を除いて、第１実施形態の丸形ＬＥＤランプ１と同じ構造を有する。
【００３４】
ところで、第１実施形態の丸形ＬＥＤランプ１は、図３中に示したようなコネクタータイプの給電ソケットＳと口金部２との誤嵌合を防止することができるものの、突起部５及び６が障害となるため、図５中に示したようなホルダータイプの給電ソケットＳＨと口金部２とを嵌合させることが困難である。
一方、第２実施形態の丸形ＬＥＤランプ１ａは、ホルダータイプの給電ソケットＳＨとの誤嵌合を防止することはできるものの、コネクタータイプの給電ソケットＳが、口金部２に対して周方向Ａと直交する方向にずれて誤嵌合することを防止することが困難である。
【００３５】
そこで、図７に示すように、本実施形態の丸形ＬＥＤランプ１ｂでは、第１実施形態における突起部５及び６の代わりに、折り取り可能な突起部５ａ及び６ａを設けている。突起部５ａ及び６ａは、折り取りを容易にするために周方向Ａの幅が狭い点を除いて、第１実施形態の突起部５及び６と同じ形状、配置で設けられている。
なお、突起部５ａ及び６ａは、容易に折り取れるように、基部に切り欠きやミシン目等の弱化部を設けることが好ましい。
【００３６】
これにより、丸形ＬＥＤランプ１ｂをコネクタータイプの給電ソケットＳを備えた照明装置に取り付ける場合、突起部５ａ及び６ａによって、コネクタータイプの給電ソケットが口金部２に対して周方向Ａと直交する方向にずれた状態で誤嵌合することが阻止される。
【００３７】
一方、丸形ＬＥＤランプ１ｂをホルダータイプの給電ソケットＳＨを備えた照明装置に取り付ける場合には、図８に示すように、ホルダー部Ｈと当接する突起部５ａ及び６ａが折り取られる。これにより、ホルダータイプの給電ソケットＳＨであっても、口金部２と嵌合することができる。
【００３８】
ここで、図９及び図１０を参照して、本実施形態の丸形ＬＥＤランプ１の口金部２とコネクタータイプの給電ソケットＳとの嵌合状態を説明する。
まず、図９（ａ）に、給電ソケットＳが口金部２と正常に嵌合した様子を示す。同図に示すように、給電ソケットＳが口金部２と正常に嵌合したときには、各突起部３、４、５ａ及び６ａは給電ソケットＳに当接せず、嵌合の障害とならない。
【００３９】
次に、図９（ｂ）、図１０（ａ）及び図１０（ｂ）に、口金部２に対して給電ソケットＳがずれた場合を示す。
図９（ｂ）に示す場合、口金部２に対して給電ソケットＳが周方向Ａにずれ、口金部２の４本のピン２１のうち２本のピン２１が露出した状態で、残りの２本のピンだけが給電ソケットＳの挿入孔に挿入されようとしている。この場合、給電ソケットＳの正面が、突起部３に当接するため、突起部３が障害となって誤嵌合が阻止される。
【００４０】
図１０（ａ）に示す場合、口金部２に対して給電ソケットＳが周方向Ａと直交する方向にずれ、口金部２の４本のピン２１のうち２本のピン２１が露出した状態で、残りの２本のピンだけが給電ソケットＳの挿入孔に挿入されようとしている。この場合、給電ソケットＳの正面が、突起部６ａに当接するため、突起部６ａが障害となって誤嵌合が阻止される。
【００４１】
図１０（ｂ）に示す場合、口金部２に対して給電ソケットＳが周方向Ａと斜め方向にずれ、口金部２の４本のピン２１のうち３本のピン２１が露出した状態で、残りの１本のピンだけが給電ソケットＳの挿入孔に挿入されようとしている。この場合、給電ソケットＳの正面が、２カ所の突起部３及び６ａに当接するため、突起部３及び６ａが障害となって誤嵌合が阻止される。
【００４２】
次に、図１１を参照して、本実施形態の丸形ＬＥＤランプ１ｂの口金部２とホルダータイプの給電ソケットＳＨとの嵌合状態を説明する。
給電ソケットがホルダータイプのものである場合には、図８に示したように、突起部５ａ及び６ａが折り取られる。
まず、図１１（ａ）に、給電ソケットＳＨが口金部２と正常に嵌合した様子を示す。同図に示すように、給電ソケットＳＨが口金部２と正常に嵌合したときには、突起部５ａ及び６ａが折り取られており、残りの突起部３及び４は給電ソケットＳＨに当接せず、嵌合の障害とならない。
【００４３】
次に、図１１（ｂ）では、口金部２に対して給電ソケットＳが周方向Ａにずれ、口金部２の４本のピン２１のうち２本のピン２１が露出した状態で、残りの２本のピンだけが給電ソケットＳＨの挿入孔に挿入されようとしている。この場合、給電ソケットＳＨのホルダー部Ｈや正面のコネクター部Ｃが突起部３に当接するため、突起部３が障害となって誤嵌合が阻止される。
【００４４】
このように、本実施形態の丸形ＬＥＤランプ１ｂは、コネクタータイプの給電ソケットＳを備えた照明装置に取り付けても好適であり、ホルダータイプの給電ソケットＳＨを備えた照明装置に取り付けても好適である。
【００４５】
以上、本発明の実施形態を説明したが、本発明は、上述した実施形態に限定されるものではなく、本発明の範囲で種々の変更実施が可能である。
上述した実施形態では、円環形状を有する丸形ＬＥＤランプの例を説明したが、本発明では、丸形ＬＥＤランプは円環形状のものに限定されず、例えば、多角形の環形状のものであってもよい。
また、本発明の丸形ＬＥＤランプは、環形状の一部分が途切れた湾曲形状であってもよく、例えば、Ｃ字形のように円環形状の一部分が途切れた円弧形状であってもよい。
【００４６】
また、上述した実施形態では、本発明を、Ｇ１０ｑ規格の口金部を備えた丸形ＬＥＤランプに適用した例を説明したが、口金部の規格はこれに限定されず、例えば、ＧＺ１０ｑ規格の口金部を備えた丸形ＬＥＤランプに適用することもできる。
【００４７】
また、上述した実施形態では、口金部の周囲の一部分に突起部を設けた例を説明したが、本発明では、口金部を囲む筒状の突起部を設けてもよい。
【００４８】
また、突起部は、誤嵌合を阻止できるように、口金部を構成するピンの長さ方向に高くなっていれば、突起部の形状は限定されず、突起部の口金側の側面は、口金部のピンに対して平行でもよいし、傾斜していてもよい。
【符号の説明】
【００４９】
１，１’，１ａ，１ｂ，１０  丸形ＬＥＤランプ
２  口金部
２１  ピン
３，４，５，５ａ，６，６ａ  突起部
Ａ  円周方向
Ｃ  コネクター部
Ｈ  ホルダー部
Ｓ，ＳＨ  給電ソケット
Ｓ１  挿入孔
【図１（ａ）】
2019021411.tif 000003
【図１（ｂ）】
2019021411.tif 000004
【図２】
2019021411.tif 000005
【図３（ａ）】
2019021411.tif 000006
【図３（ｂ）】
2019021411.tif 000007
【図４（ａ）】
2019021411.tif 000008
【図４（ｂ）】
2019021411.tif 000009
【図５】
2019021411.tif 000010
【図６（ａ）】
2019021411.tif 000011
【図６（ｂ）】
2019021411.tif 000012
【図７】
2019021411.tif 000013
【図８】
2019021411.tif 000014
【図９（ａ）】
2019021411.tif 000015
【図９（ｂ）】
2019021411.tif 000016
【図１０（ａ）】
2019021411.tif 000017
【図１０（ｂ）】
2019021411.tif 000018
【図１１（ａ）】
2019021411.tif 000019
【図１１（ｂ）】
2019021411.tif 000020
【図１２】
2019021411.tif 000021